(57)【要約】      （修正有）【課題】受電装置への電力供給の効率を改善する通信システム、受電装置、電力供給制御方法及び電力供給制御プログラムを提供する。【解決手段】通信システム１において、給電装置１００は、Ｐｏｗｅｒ  Ｓｏｕｒｃｉｎｇ  Ｅｑｕｉｐｍｅｎｔ（ＰＳＥ）２００と第１のＬＡＮケーブル４００を介して接続されるとともに、受電装置３００と第２のＬＡＮケーブル４０１を介して接続されている。給電装置は、ＰＳＥから第１のＬＡＮケーブルを介して電力を供給され、ＰＳＥから供給された電力を受電装置の消費電力情報に基づいて受電装置に供給する。【選択図】図１
2020145630.tif 000002
【特許請求の範囲】
【請求項１】
電源側装置と第１のＬＡＮケーブルを介して接続されるとともに、受電装置と第２のＬＡＮケーブルを介して接続されており、
電源側装置から前記第１のＬＡＮケーブルを介して電力を供給され、
前記電源側装置から供給された電力を前記受電装置の消費電力情報に基づいて前記受電装置に供給する、
給電装置。
【請求項２】
前記受電装置の前記消費電力情報に基づいて、前記電源側装置に電力クラスを変更することを要求し、
前記電力クラスに対応した電力を前記電源側装置から供給される、
ことを特徴とする請求項１に記載の給電装置。
【請求項３】
前記第１のＬＡＮケーブルを介して前記受電装置から、前記受電装置の前記消費電力情報を取得する、
ことを特徴とする請求項１又は２に記載の給電装置。
【請求項４】
前記電源側装置から供給された電力を、ＬＡＮ通信信号と、電力信号とに分離する制御部をさらに備え、
前記制御部は、前記第２のＬＡＮケーブルを介して前記受電装置から、前記受電装置の前記消費電力情報を取得する、
ことを特徴とする請求項３に記載の給電装置。
【請求項５】
前記受電装置の消費電力を測定する電力測定回路をさらに備え、
前記制御部は、前記電力測定回路が測定した消費電力から、前記受電装置の前記消費電力情報を取得する、
ことを特徴とする請求項４に記載の給電装置。
【請求項６】
前記制御部が、電源ケーブルを介して、前記電力信号に基づく電力を前記受電装置に供給し、前記受電装置を起動させた後、
前記制御部は、前記電力測定回路が測定した消費電力から、前記受電装置の前記消費電力情報を取得する、
ことを特徴とする請求項５に記載の給電装置。
【請求項７】
電源側装置と、
前記電源側装置と第１のＬＡＮケーブルを介して接続されて電力を供給される給電装置と、
前記給電装置と第２のＬＡＮケーブルを介して接続された受電装置と、を備え、
前記給電装置は、前記電源側装置から供給された電力を、前記受電装置の消費電力情報に基づいて前記受電装置に供給する、
通信システム。
【請求項８】
電力をＬＡＮケーブルを介して給電装置に供給するステップと、
前記給電装置に供給された電力を、受電装置の消費電力情報に基づいて前記受電装置に供給するステップと、を備える、
通信システムの電力供給制御方法。
【請求項９】
電源側装置と、給電装置と、受電装置と、を備える通信システムに、
電力をＬＡＮケーブルを介して前記給電装置に供給するステップと、
前記給電装置に供給された電力を、前記受電装置の消費電力情報に基づいて前記受電装置に供給するステップと、を実行させる、
通信システムの電力供給制御プログラム。
【発明の詳細な説明】
【技術分野】
【０００１】
本発明は、給電装置、通信システム、電力供給制御方法、及び電力供給制御プログラムに関し、特にＬＡＮインターフェイスを備えた給電装置、通信システム、電力供給制御方法、及び電力供給制御プログラムに関する。
【背景技術】
【０００２】
特許文献１に開示の通信システムは、最上段装置、中段装置、及び最下段装置を備える。これらは、この順にＬＡＮ（Local Area Network）ケーブルを介して直列的に接続されている。最下段装置は、ＰＯＥ（Power over Ether）受電機能を有しないネットワーク端末と、アダプタ装置とを備える。アダプタ装置は、中段装置からのＰＯＥ電力の受電状態に応じて、ネットワーク端末への電源投入をオンオフする。これによって、最上段装置の電源に連動させて、一括して電源制御することができる。
【先行技術文献】
【特許文献】
【０００３】
【特許文献１】特開２０１２−１３４９０１号公報
【発明の概要】
【発明が解決しようとする課題】
【０００４】
上記した通信システムにおいて、ネットワーク端末への電源投入をオンした場合、ネットワーク端末に供給された電力がネットワーク端末に適合しないことがあった。ネットワーク端末への電力供給効率について改善の余地がある。
【０００５】
本開示の目的は、上述した課題を鑑み、受電装置への電力供給の効率の改善を図ることができる給電装置、通信システム、電力供給制御方法、及び電力供給制御プログラムを提供することである。
【課題を解決するための手段】
【０００６】
本開示の実施の形態の１つに係る給電装置は、
電源側装置と第１のＬＡＮケーブルを介して接続されるとともに、受電装置と第２のＬＡＮケーブルを介して接続されており、
電源側装置から前記第１のＬＡＮケーブルを介して電力を供給され、
前記電源側装置から供給された電力を前記受電装置の消費電力情報に基づいて前記受電装置に供給する。
【０００７】
本開示の実施の形態の１つに係る通信システムは、
電源側装置と、
前記電源側装置と第１のＬＡＮケーブルを介して接続されて電力を供給される給電装置と、
前記給電装置と第２のＬＡＮケーブルを介して接続された受電装置と、を備え、
前記給電装置は、前記電源側装置から供給された電力を、前記受電装置の消費電力情報に基づいて前記受電装置に供給する。
【０００８】
本開示の実施の形態の１つに係る通信システムの電力供給制御方法は、
電力をＬＡＮケーブルを介して給電装置に供給するステップと、
前記給電装置に供給された電力を、受電装置の消費電力情報に基づいて前記受電装置に供給するステップと、を備える。
【０００９】
本開示の実施の形態の１つに係る通信システムの電力供給制御プログラムは、
電源側装置と、給電装置と、受電装置と、を備える通信システムに、
電力をＬＡＮケーブルを介して前記給電装置に供給するステップと、
前記給電装置に供給された電力を、前記受電装置の消費電力情報に基づいて前記受電装置に供給するステップと、を実行させる。
【発明の効果】
【００１０】
本開示の目的は、受電装置への電力供給の効率の改善を図ることができる通信システム、電力供給制御方法、及び電力供給制御プログラムを提供することである。
【図面の簡単な説明】
【００１１】
【図１】実施の形態１にかかる通信システムの一構成例を示すブロック図である。
【図２】実施の形態１にかかる通信システムの一変形例を示すブロック図である。
【図３】実施の形態１にかかる通信システムの動作を示すフローチャートである。
【図４】実施の形態１にかかる電力クラス変更方法を示すシーケンス図である。
【図５】電力クラスについての各種情報を示す表である。
【図６】実施の形態１にかかる消費電力情報入手方法を示すフローチャートである。
【図７】給電装置に含まれるハードウェア構成の一例を示す図である。
【発明を実施するための形態】
【００１２】
（実施の形態１）
以下、図１を参照して実施の形態１について説明する。図１は、実施の形態１にかかる通信システムの一構成例を示すブロック図である。
【００１３】
図１に示すように、通信システム１は、給電装置１００と、ＰＳＥ（Power sourcing equipment）２００と、受電装置３００とを備える。ＰＳＥ２００と、給電装置１００と、受電装置３００とは、ＬＡＮケーブル４００、４０１を介してこの順に接続されており、１つのネットワークを形成する。
【００１４】
ＰＳＥ２００は、ＡＣ電源（交流電源）に接続されており、電力を電源ケーブル４０３等を介して供給される。ＰＳＥ２００は、通信システム１におけるネットワーク上において、給電装置１００及び受電装置３００と比較してＡＣ電源に近い。ＰＳＥ２００は、電源側装置と称してもよい。ＰＳＥ２００は、ＰＯＥ規格に対応している。
【００１５】
給電装置１００は、ＬＡＮケーブル４００を介してＰＳＥ２００と接続される。給電装置１００は、ＰＳＥ２００と同様に、ＰＯＥ規格に対応しており、ＰＯＥ技術によりＬＡＮケーブル４００を経由してＰＳＥ２００から電力供給を受ける。
【００１６】
また、給電装置１００は、ＬＡＮケーブル４０１及び電源ケーブル４０２を介して、受電装置３００と接続する。ＬＡＮ通信信号は、ＬＡＮケーブル４０１を通過して受電装置３００へ出力される。言い換えると、給電装置１００は、ＬＡＮ通信信号をスルーさせる。また、ＰＳＥ２００と受電装置３００とがＬＡＮケーブル４００、及びＬＡＮケーブル４０１を使用して、給電装置１００を介して接続される。
【００１７】
給電装置１００は、ＬＡＮケーブル４０１を経由して受電装置３００にアクセスし、受電装置３００の消費電力情報を取得する。給電装置１００は、それ自体が取得した受電装置３００の消費電力情報に基づいて、ＰＯＥ規格の電力クラスを求める。給電装置１００は、求めた電力クラスをＰＳＥ２００に出力する。ＰＳＥ２００は、給電装置１００から取得した電力クラスに基づいた電力供給をおこなう。給電装置１００は、ＰＳＥ２００から供給された電力を、受電装置３００に供給する。
【００１８】
受電装置３００は、ＰＯＥ規格に対応していない装置である。受電装置３００は、停止状態のまま、給電装置１００に接続されていてもよい。すなわち、受電装置３００は、給電装置１００から電力を供給されて、起動してもよい。
【００１９】
（一変形例）
次に、図２に示す通信システム２について説明する。図２は、実施の形態１にかかる通信システムの一変形例を示すブロック図である。通信システム２は、通信システム１の一変形例である。
【００２０】
給電装置１００ａは、制御部１０１、電力測定回路１０２、ＬＡＮコネクタ１０３、１０４、及び電源コネクタ１０５を備えるところを除いて、給電装置１００と同じ構成を備える。給電装置１００ａは、適宜、記録装置を外部又は内部に備えてもよい。給電装置１００ａは、図１に示す給電装置１００と同様に、ＬＡＮケーブル４００、４０１、及び電源ケーブル４０２を介して、ＰＳＥ２００、受電装置３００とそれぞれ接続する。
【００２１】
ＬＡＮコネクタ１０３は、ＬＡＮケーブル４００と制御部１０１とを接続する。ＰＳＥ２００は、コネクタ２０１を備え、コネクタ２０１は、ＬＡＮケーブル４００と接続されている。ＰＳＥ２００と制御部１０１とは、コネクタ２０１と、ＬＡＮケーブル４００と、ＬＡＮコネクタ１０３とを介して接続されている。給電装置１００ａとＰＳＥ２００とは、ＬＡＮケーブル４００を経由してＬＡＮ通信と電力供給とを行う
【００２２】
ＬＡＮコネクタ１０４は、ＬＡＮケーブル４０１と制御部１０１とを接続する。受電装置３００は、コネクタ３０１を備え、コネクタ３０１は、ＬＡＮケーブル４０１と接続されている。
【００２３】
電源コネクタ１０５は、電源ケーブル４０２と制御部１０１の電源出力ラインとを接続する。制御部１０１の電源出力ラインは、制御部１０１と電源コネクタ１０５とを結ぶ導線である。電力測定回路１０２は、制御部１０１の電源出力ラインの中途に設けられている。受電装置３００は、コネクタ３０２を備え、コネクタ３０２は、電源ケーブル４０２と接続されている。受電装置３００と制御部１０１とは、制御部１０１の電源出力ラインと、電源コネクタ１０５と、電源ケーブル４０２と、コネクタ３０２とを介して接続されている。なお、制御部１０１の電源出力ラインの中途には、必要に応じて、交流を直流に変換する構成や電流電圧を変更する構成を設けてもよい。例えば、コンバータ、変圧器等を制御部１０１の電源出力ラインの中途に設けてもよい。
【００２４】
給電装置１００ａと受電装置３００とは、ＬＡＮケーブル４０１と給電装置１００と電源ケーブル４０２とを介して接続される。給電装置１００と受電装置３００は、ＬＡＮケーブル４０１と給電装置１００と電源ケーブル４０２とを経由してＬＡＮ通信と電力供給とを行う。
【００２５】
制御部１０１が、ＰＳＥ２００よりＬＡＮケーブル４００を経由して供給された電力を、ＬＡＮ通信信号と電力に分離する。制御部１０１は、ハードウェア構成として、例えば、制御ＩＣである。
【００２６】
制御部１０１が分離したＬＡＮ通信信号は、ＬＡＮケーブル４０１を経由して受電装置３００に供給され、ＬＡＮ通信が行なわれる。一方、制御部１０１が分離した電力信号は、電源ケーブル４０２を経由して受電装置３００に供給されて、電力供給が行なわれる。
【００２７】
制御部１０１は、受電装置３００とＬＡＮ通信とを行うことによって、受電装置３００の消費電力情報を取得することができる。具体的には、まず、制御部１０１は、ＬＡＮケーブル４０１を経由してＬＡＮ通信により受電装置３００の消費電力情報を問い合わせる。受電装置３００は、この問い合わせ信号を取得した後、受電装置３００の消費電力情報を制御部１０１に送信して、返答する。受電装置３００は、予め、専用のアプリケーションをインストールされている場合、このような返答を容易に行うことができる。
【００２８】
制御部１０１は、電力測定回路１０２を用いて受電装置３００の消費電力を測定することによって、受電装置３００の消費電力情報を取得してもよい。専用のアプリケーションの受電装置３００へのインストールが不可能であっても、制御部１０１は、このような受電装置３００の消費電力情報を取得することができる。
【００２９】
制御部１０１は、上記で得られた受電装置３００の消費電力情報に基づいてＰＯＥ規格の電力クラス情報を求めて、その求めたクラス情報をＰＳＥ２００に伝達する。伝達方法は、ＰＯＥ規格のＰＤ認識時のクラス識別負荷電流を制御する方法をとる。
【００３０】
（動作）
次に、図３〜図５を参照して通信システム２の一動作例について説明する。図３は、実施の形態１にかかる通信システムの動作を示すフローチャートである。図４は、実施の形態１にかかる電力クラス変更方法を示すシーケンス図である。図５は、電力クラスについての各種情報を示す表である。本動作は、通信システム１、２の各構成について電力供給制御方法を実施する一例である。
【００３１】
図３に示すように、ＰＳＥ２００が起動した後、ＰＯＥ規格の動作に従って、ＰＳＥ２００がＰＤ（受電機側機器：Powered Device）検出動作を行なって給電装置１００ａを検出し、給電装置１００ａに電力を供給する（給電装置電力供給ステップＳＴ１１）。本例におけるＰＤは、給電装置１００ａである。
【００３２】
具体的には、ＰＳＥ２００は、給電装置１００ａに給電する前にＰＯＥ規格で定められたＰＤ検出を行ない、検出された給電装置１００ａの消費電力に合わせた電力を供給する。ＰＳＥ２００と給電装置１００ａは、起動直後にネゴシエーションを行なう。ＰＳＥ２００からの要求に対し、給電装置１００ａが給電装置１００ａ自体の電力に対応した値のクラス識別負荷電流を出力することによって、ＰＳＥ２００は、給電装置１００ａの電力クラスを示す電力クラス情報を取得する。電力とクラス識別負荷電流との関係は図５に示す。
【００３３】
続いて、給電装置１００ａ内部の制御部１０１が、ＬＡＮ通信信号と電力信号を分離する（信号分離ステップＳＴ１２）。
【００３４】
続いて、信号分離ステップＳＴ１２において制御部１０１が分離した信号のうち、電力信号を電源ケーブル４０２を経由して受電装置３００へ送信し、電力を受電装置３００に供給し、受電装置３００を起動させる（受電装置起動ステップＳＴ１３）。受電装置３００を起動させた後、給電装置１００ａと受電装置３００とは、ＬＡＮ通信を行うことができる。
【００３５】
続いて、信号分離ステップＳＴ１２において制御部１０１が分離した信号のうち、ＬＡＮ通信信号をＬＡＮケーブル４０１を経由して受電装置３００に送信する（ＬＡＮ通信信号出力ステップＳＴ１４）。ＬＡＮ通信信号は、給電装置１００ａによって送受信処理をすることなく給電装置１００ａをスルーするため、ＰＳＥ２００と受電装置３００とは直接接続されている。
【００３６】
（電力クラス変更の動作の一具体例）
続いて、図４を参照して、ＰＯＥ規格の電力クラス変更の動作の一具体例を説明する。本例は、給電装置１００ａが、ＰＳＥ２００へ電力クラスを変更することを要求する動作である。
【００３７】
ＰＳＥ２００が起動すると、給電装置１００ａにＰＤ検出信号を送出する。給電装置１００ａは、受電装置３００の消費電力情報を持たないため、デフォルトステータスとして、電力クラス０をＰＳＥ２００に返答する。ＰＳＥ２００は、ＰＯＥ機器のクラスをクラス識別負荷電流の値に応じて識別する。ここでは、給電装置１００ａが電力クラス０をＰＳＥ２００に返答したため、制御部１０１は、クラス識別負荷電流の値を、図５に示す電力クラス０に相当する５ｍＡ以下に設定する。
【００３８】
続いて、ＰＳＥ２００が給電装置１００ａからの返答を受けると、給電装置１００ａへ電力を供給する。
【００３９】
続いて、給電装置１００ａは、受電装置３００に電力を供給し、受電装置３００を起動させる（電力供給ステップＳＴ２１）。電力供給ステップＳＴ２１は、図３に示す受電装置起動ステップＳＴ１３と殆ど同時に実施される。給電装置１００ａと受電装置３００とが、ＬＡＮ通信を相互に行うことができる。
【００４０】
続いて、給電装置１００ａが受電装置３００に消費電力情報を問い合わせる（消費電力情報問合せステップＳＴ２２）。
【００４１】
続いて、受電装置３００が、消費電力情報を給電装置１００ａへ応答する。
【００４２】
給電装置１００ａが受電装置３００からの応答を受けた場合(応答有無判定ステップＳＴ２３：ＹＥＳ)、給電装置１００ａは消費電力情報を取得し、図示しない記憶装置に記録する（消費電力情報記録ステップＳＴ２５）。
【００４３】
一方、給電装置１００ａが受電装置３００からの応答を受けなかった場合（応答有無判定ステップＳＴ２３：ＮＯ)、電力測定回路１０２が消費電力を測定することによって、消費電力情報を取得する（消費電力測定ステップＳＴ２４）。さらに、給電装置１００ａは消費電力情報を図示しない記憶装置に記録する（消費電力情報記録ステップＳＴ２５）。
【００４４】
具体的には、電力測定回路１０２は、給電装置１００ａ内部の制御部１０１の電源出力ラインに接続される。給電装置１００ａは、電力を制御部１０１から制御部１０１の電源出力ラインを経由して受電装置３００へ供給する。そのため、電力測定回路１０２が制御部１０１の電源出力ラインの電流を測定することによって、制御部１０１は、受電装置３００の消費電力値を取得することができる。電流測定している間、受電装置３００の負荷を増やすため、給電装置１００ａと受電装置３００とはＬＡＮ通信を行なうことが望ましい。
【００４５】
続いて、消費電力情報記録ステップＳＴ２５において記録された消費電力情報に基づいて、電力クラスを判別する（電力クラス判別ステップＳＴ２６）。この判別した電力クラスは、ＰＯＥ規格に基づく。
【００４６】
給電装置１００がＰＳＥ２００へ電力クラスを変更することを要求する。ＰＳＥ２００は給電装置１００ａからの電力クラス変更の要求を受けた後、電力供給を停止する。ＰＳＥ２００は、再度ＰＤ検出を行なう。
【００４７】
給電装置１００ａは、電力クラス判別ステップＳＴ２６において判別した電力クラスに対応したクラス識別負荷電流の値を、ＰＳＥ２００に返答する。
【００４８】
ＰＳＥ２００は、給電装置１００ａからの返答を受けると、その返答が示すクラス識別負荷電流の値に対応した電力を、給電装置１００ａに供給する。
【００４９】
さらに、給電装置１００ａは、電源ケーブル４０２を介して受電装置３００に電力を供給する。給電装置１００ａが受電装置３００に供給した電力は、上記したクラス識別負荷電流の値に対応したＰＤ要求電力（図５参照）の範囲内にある。当該電力は、受電装置３００によく適合している。当該電力が、上記したクラス識別負荷電流の値に対応したＰＤ要求電力（図５参照）の範囲内にあればよい。また、電源ケーブル４０２を流れる電流、及びその電圧は、適宜、コンバータ、変圧器等を制御部１０１の電源出力ラインの中途に設ける等して変更してもよい。
【００５０】
以上より、受電装置３００は、ＰＯＥ規格に対応していなくても、ＰＳＥ２００から給電装置１００ａへ送信されたＬＡＮ通信信号に由来する電力の供給を受けることができる。よって、受電装置３００は、ＰＯＥ対応機器と同様に、電源を取得し難い場所に配置することができる。
【００５１】
また、給電装置１００ａは、受電装置３００から消費電力情報を取得し、受電装置３００によく適合したＰＯＥ規格の電力クラスをＰＳＥ２００へ伝える。これによって、電力を受電装置３００に効率良く供給することができる。
【００５２】
また、本実施形態にかかる給電装置１００ａは、受電装置３００の消費電力を測定する電力測定回路１０２をさらに備える。制御部１０１は、電力測定回路１０２が測定した消費電力から、受電装置３００の消費電力情報を取得する。よって、受電装置３００に専用のアプリケーションの受電装置３００へのインストールが不可能であっても、給電装置１００ａは、消費電力情報を取得できる。これによって、さらに確実に電力を受電装置３００に効率良く供給することができる。
【００５３】
また、本実施形態にかかる制御部１０１が、電源ケーブル４０２を介して、電力信号に基づく電力を受電装置３００に供給し、受電装置３００を起動させる。さらに、制御部１０１は、電力測定回路１０２が測定した消費電力から、受電装置３００の消費電力情報を取得する。よって、受電装置３００が停止状態であっても、制御部１０１が受電装置３００を起動させて、給電装置１００ａは消費電力情報を取得できる。これによって、さらに確実に電力を受電装置３００に効率良く供給することができる。
【００５４】
なお、本発明は上記実施の形態に限られたものではなく、趣旨を逸脱しない範囲で適宜変更することが可能である。例えば、制御部１０１の少なくとも一部は、ハードウェア構成として、コンピュータを利用してもよく、具体的には、制御装置、中央処理演算装置、各種プログラムを記憶した記憶媒体、ユーザが入出力可能なインターフェイス等を備えてもよい。
【００５５】
図２に示す給電装置１００ａ、又は制御部１０１は、図７に示すインターフェイス１３とともに、プロセッサ１１及びメモリ１２を備える。上述した実施の形態で説明した給電装置１００ａ、又は制御部１０１は、プロセッサ１１がメモリ１２に記憶された制御プログラムを読み込んで実行することにより実現される。つまり、この制御プログラムは、プロセッサ１１を図２の給電装置１００ａ、制御部１０１又はそれらの一部として機能させるためのプログラムである。この制御プログラムは、図２の制御部１０１に、通信システム２、給電装置１００ａ又はその一部における処理を実行させるためのプログラムであると言える。
【００５６】
また、上記プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５７】
さらに、上述した様々な実施の形態において、通信システム２、給電装置１００ａにおける処理の手順を説明したように、本開示は、電力供給制御方法としての形態も採り得る。この電力供給制御方法は、次の第１、及び第２のステップを含む。第１のステップは、電力をＬＡＮケーブルを介して給電装置に供給するステップである。第２のステップは、前記給電装置に供給された電力を、受電装置の消費電力情報に基づいて前記受電装置に供給するステップである。
【００５８】
なお、その他の例については、上述した様々な実施の形態で説明した通りである。また、上述の制御プログラムは、通信システムにこのような電力供給制御方法を実行させるための電力供給制御プログラムであると言える。
【符号の説明】
【００５９】
１、２  通信システム
１００、１００ａ  給電装置                １０１  制御部
１０２  電力測定回路                      １０３、１０４  コネクタ
１０５  電源コネクタ
２００  ＰＳＥ                            ３００  受電装置
４００、４０１  ＬＡＮケーブル            ４０２  電源ケーブル
ＳＴ１１  給電装置電力供給ステップ        ＳＴ１２  信号分離ステップ
ＳＴ１３  受電装置起動ステップ            ＳＴ１４  ＬＡＮ通信信号出力ステップ
ＳＴ２１  電力供給ステップ                ＳＴ２２  消費電力情報問合せステップ
ＳＴ２３  応答有無判定ステップ            ＳＴ２４  消費電力測定ステップ
ＳＴ２５  消費電力情報記録ステップ        ＳＴ２６  電力クラス判別ステップ
【図１】
2020145630.tif 000003
【図２】
2020145630.tif 000004
【図３】
2020145630.tif 000005
【図４】
2020145630.tif 000006
【図５】
2020145630.tif 000007
【図６】
2020145630.tif 000008
【図７】
2020145630.tif 000009